(57)【要約】【課題】放射線撮影をする際に患者が診療椅子から降りて放射線撮影室まで移動しなくてもよいようにする。【解決手段】移動キャビネット1の少なくとも1面に放射線防護壁2を設け、一方、放射線防護壁3にて囲まれた放射線防護室5の1面に水平方向に開閉自在な回転扉6を設ける。これにて回転扉6を閉止することにより放射線防護室5を縮小することができ、閉止面にキャビネット1の放射線防護壁2の面を当接させ、更に他の複数の移動キャビネットも放射線防護室5側に寄せることにより診療室内に多目的空間を形成することができる。また、放射線防護室5の回転扉6を開いて、その開放端部に、移動キャビネット1に設けられた放射線防護壁2を当接させることにより放射線防護室5を拡張することができ、更に他の複数の移動キャビネットを移動して所望の間隔を保つことにより多目的エリアを形成する。【選択図】図１
2008161539.tif 000002
【特許請求の範囲】
【請求項１】
歯科診療椅子、ドクターテーブル、ドクターカート、アシスタントハンガ、スピットン、診療用無影灯それぞれの単体、あるいは前記単体の何れかの組み合わせにて構成される歯科診療ユニットを診療のために任意の位置に移動する移動手段と、診療後に前記歯科診療ユニットを移動して収納する収納手段とを有し、前記歯科診療ユニットを移動することにより多目的空間を形成するフレキシブル歯科診療ユニットの設備において、
前記移動手段を有する移動キャビネットの少なくとも1面に放射線防護壁を設けると共に、レントゲンあるいはＣＴ等の放射線撮影装置を配設する放射線防護室の1面及び/または前記キャビネットの放射線防護壁を扉に形成して成り、前記放射線防護室側に前記キャビネットを移動し開閉した扉相互を当接させることにより放射線防護室を拡縮することを特徴とするフレキシブル歯科診療設備。
【請求項２】
前記放射線防護室の1面に開閉自在な回転扉を形成し、一方、前記移動キャビネットの1面に射線防護壁を形成して成り、開放した前記回転扉の開放端部に、前記移動キャビネットの放射線防護壁面を当接させることにより放射線防護室を拡張し、また閉止した前記回転扉の面に前記移動キャビネットの放射線防護壁面を当接させることにより前記放射線防護室を縮小する拡縮自在な放射線防護室を形成することを特徴とする請求項１記載の歯科診療設備。
【請求項３】
前記放射線防護室の1面を開放し、一方、前記移動キャビネットの1面に射線防護壁からなる回転扉を形成して成り、前記回転扉を開放した開放端部を前記放射線防護室の開放端部に当接させることにより放射線防護室を拡張し、また閉止した前記回転扉の面を前記放射線防護室の開放端部に当接させることにより前記放射線防護室を縮小する拡縮自在な放射線防護室を形成することを特徴とする請求項１記載の歯科診療設備。
【請求項４】
前記移動キャビネットの１面および放射線防護室の１面に開閉自在な放射線防護壁からなる回転扉を形成して成り、前記双方の回転扉を開いてそれぞれの開放端部相互を当接させることにより放射線防護室を更に拡張し、また閉止した回転扉の面相互を当接させることにより放射線防護室を縮小する拡縮自在な放射線防護室を形成することを特徴とする請求項１記載の歯科診療設備。
【請求項５】
前記移動キャビネットの１面に放射線防護壁を形成し、一方、放射線防護室の１面を開放すると共に両側面に該側面に沿って進退動する放射線防護壁からなるスライド扉を設けて成り、該スライド扉を前進させてその開放端部に前記移動扉の放射線防護壁面を当接させることにより放射線防護室を拡張し、また前記スライド扉を後退させると共に放射線防護室内に収納した放射線防護室の開放端部に移動キャビネットの放射線防護壁面を当接させることにより放射線防護室を縮小する拡縮自在な放射線防護室を形成することを特徴とする請求項１記載の歯科診療設備。
【請求項６】
前記放射線防護室を診療室の壁面に沿って設けると共に該放射線防護室の１面を開放し、一方、複数の前記移動キャビネットを放射線防護室の開放面に沿って移動可能に配置すると共に、複数の移動キャビネットのうち隣接する移動キャビネットの対向面それぞれに放射線防護壁を設け、更に片側面に沿ってスライドしつつ進退動する放射線防護壁からなるスライド扉を設けて成り、前記隣接する移動キャビネットの放射線防護壁端部を前記放射線防護室の開放端部に当接させると共に、前記双方のスライド扉を対向して前進させることにより放射線防護室を拡張し、また前記スライド扉を後退させると共に移動扉を一方に寄せることにより放射線防護室を縮小する拡縮自在な放射線防護室を形成することを特徴とする請求項１記載の歯科診療設備。
【請求項７】
拡縮自在な放射線防護室を形成する前記移動キャビネットに滅菌、殺菌、消毒の１ないし複数の除菌手段を搭載したことを特徴とする請求項１記載の歯科診療設備。
【請求項８】
前記歯科診療ユニットの移動手段が、歯科診療ユニットを搭載して移動する台車と、該台車に設けられたキャスタから成ることを特徴とする請求項１記載のフレキシブル歯科診療設備。
【請求項９】
前記収納手段が、歯科診療ユニットのバックレストやレッグレストを折り畳んで移動キャビネットの収納部に収納することを特徴とする請求項１記載のフレキシブル歯科診療設備。
【請求項１０】
前記レントゲンあるいはＣＴ等の放射線撮影装置を、前記台板を介して移動可能に構成したことを特徴とする請求項１記載の歯科診療設備。
【発明の詳細な説明】
【技術分野】
【０００１】
本発明は、歯科診療室の設備である放射線撮影室に関し、特に拡縮可能な放射線撮影室に関する。
【背景技術】
【０００２】
従来、歯科診療室の設備である放射線撮影室は歯科診療ユニットから離れた位置に備えられているのが一般的である。
【０００３】
しかしながら、前記従来の放射線撮影室は歯科診療ユニットから離れた位置に備えられているために、撮影の際に患者は一旦診療椅子から降りて離れた位置の放射線撮影室まで移動しなければならなかった。
【発明の開示】
【発明が解決しようとする課題】
【０００４】
解決しようとする問題点は、放射線防護室は放射線撮影に使用される時間がごく僅かであるのに診療室内の広い空間を占有しているために、診療スペースが手狭になっていることと、放射線撮影をする際に患者が診療椅子から降りて放射線撮影室まで移動しなければならない点である。
【課題を解決するための手段】
【０００５】
本発明は撮影以外の時間に、診療空間を拡張して多目的空間として有効利用できるようにするために、また放射線撮影室に診療椅子を配置することにより患者が歯科診療ユニットに着座したまま診療及び放射線撮影ができるようにするために放射線撮影室を拡縮自在に構成したことを特徴とする。
【発明の効果】
【０００６】
本発明のフレキシブル歯科診療設備は、放射線防護壁にて形成された放射線撮影室を拡縮自在に構成したことにより、放射線撮影時以外は放射線撮影装置を最小に折り畳んで放射線防護室内に収納し放射線防護室を縮小して多目的空間を形成し、あるいは診療空間を拡張することができる。また放射線撮影室内の放射線撮影装置に近い位置に歯科診療ユニットを配置することにより、患者が診療椅子に着座したまま放射線撮影装置の撮影位置まで僅か移動するだけで撮影することが可能となる。これにより例えばインプラント治療などで、患者を着座させたままインプラントの埋入状態をそのつど放射線撮影装置で確認しながら治療することができると同時に、撮影部位を同じ撮影アングルで撮影することが可能となるため、撮影診断精度を格段に向上させることができる。しかも診療後は歯科診療ユニットを移動キャビネットに収納して移動し、多目的空間を形成することができるという利点がある。
【発明を実施するための最良の形態】
【０００７】
患者が歯科診療ユニットに着座したままで診療椅子を放射線撮影装置の撮影位置まで移動して撮影することと、歯科診療ユニットを移動キャビネットに収納して移動することにより多目的空間を形成するという目的を、移動キャビネットに放射線防護壁を設け、この放射線防護壁にて放射線撮影室を拡縮自在に構成することにより実現した。
【実施例１】
【０００８】
図1及び図2は,本発明の実施例を示し、図1は放射線撮影室を縮小した図、図2は放射線撮影室を拡張した図である。
本発明は、歯科診療ユニット、ドクターテーブル、ドクターカート、アシスタントハンガ、スピットン、診療用無影灯、それぞれの単体、あるいは前記単体の何れかの組み合わせにて構成される歯科診療ユニットを診療のために任意の位置に移動する移動手段と、診療後に前記歯科診療ユニットを移動して収納する収納手段とを有し、前記歯科診療ユニットを移動することにより多目的空間を形成するフレキシブル歯科診療ユニットの設備において、本実施例では、図1に示すように図示しないキャスタ等の移動手段にて移動可能に構成された移動キャビネット1の少なくとも1面に放射線防護壁2を設け、一方、放射線防護壁3にて囲まれたレントゲンあるいはＣＴ等の放射線撮影装置4を配設する放射線防護室5の1面に水平方向に開閉自在な回転扉6を設ける。なお放射線撮影装置4は歯科用パノラマ撮影装置を例示したが、これは図示しないX線発生装置と、被写体を通過したX線像を検出する図示しないX線撮像器とを対向配置したアームを患者頭部のまわりに旋回させつつ撮影するものである。
【０００９】
上記構成のフレキシブル歯科診療設備は、図1に示すように放射線撮影装置4を使用しない場合は当該装置を最小に折り畳んで放射線防護室5内に収納し、回転扉6を閉止することにより放射線防護室5を縮小することができると共に、閉止面にキャビネット1の放射線防護壁2の面を当接させ、更に他の複数の移動キャビネットも放射線防護室5側に寄せることにより診療室内に多目的空間を形成することができる。
【００１０】
また図2に示すように放射線撮影装置4を使用する場合は、放射線防護室5の回転扉6を開いて、その開放端部に、移動キャビネット1に設けられた放射線防護壁2の面を当接させることにより放射線防護室5を拡張することができ、広い室内空間にて放射線撮影をすることが可能となる。更に他の複数の移動キャビネットを移動して所望の間隔を保つことにより多目的エリアを形成することができる。例えば放射線撮影日時を指定することで、容易に診療空間の有効活用ができる。
【実施例２】
【００１１】
図3から図5は本発明の実施例２を示し、図3は放射線防護室を縮小した図、図4は放射線防護室を拡張した図、図5は放射線防護室内での放射線撮影を示す図である。
本実施例では、図3に示すように放射線防護壁3にて囲まれた放射線防護室5の1面が開放されており、一方、移動キャビネット1は全面が放射線防護壁2にて構成され、かつ
放射線防護壁2の一面が回転扉に形成されている。
【００１２】
上記構成のフレキシブル歯科診療設備は、図3に示すように放射線撮影装置4を使用しない場合は該装置を最小に折り畳み、一方、移動キャビネット1の回転扉7を閉止して閉止面を放射線防護室5の開放端部に当接させることにより診療室を縮小することができ、更に他の複数の移動キャビネットも放射線防護室5側に寄せることにより診療室内に多目的空間を形成することができる。
【００１３】
また図4に示すように放射線撮影装置4を使用する場合は、移動キャビネット1の回転扉7を開いて、その開放端部を放射線防護室5の開放端部に当接させることにより放射線防護室5を拡張することができ、拡張した広い放射線防護室5内で放射線撮影および診療をすることが可能となる。更に図4に示すように他の複数の移動キャビネットを移動して所望の間隔を保つことにより多目的エリアを形成することができる。しかも図5に示すように患者が歯科診療ユニット8の診療椅子に着座したまま放射線撮影装置4側に僅か移動するだけで放射線撮影をすることが可能になる。またレントゲンあるいはＣＴ等の放射線撮影装置4を、図示しない台板を介して移動可能に構成することにより放射線撮影装置4を歯科診療ユニット8側に移動して放射線撮影することができ、放射線防護室5内で歯科診療ユニット8との対応が容易になる。
【実施例３】
【００１４】
図6および図7は本発明の実施例３を示し、図6は放射線防護室を縮小した図、図7は放射線防護室を拡張した図である。
本実施例では、図6に示すように放射線防護壁3にて囲まれた放射線防護室5の1面と、放射線防護壁からなる移動キャビネット1の1面に水平方向に開閉する回転扉が設けられている。
【００１５】
上記構成のフレキシブル歯科診療設備は、図6に示すように放射線撮影装置4を使用しない場合は該装置を最小に折り畳んで放射線防護室内に収納し、一方、移動キャビネット1の回転扉7も閉止して双方の閉止面を当接させることにより診療室を縮小することができ、更に他の複数の移動キャビネット1も放射線防護室5側に寄せることにより診療室内に多目的空間を形成することができる。
【００１６】
また図7に示すように放射線撮影装置4を使用する場合は、放射線防護室5および移動キャビネット1の回転扉6および7を開いて、それぞれの開放端部相互を当接させることにより放射線防護室5を拡張することができ、拡張した広い放射線防護室5内で放射線撮影および診療をすることができる。
【実施例４】
【００１７】
図8および図9は本発明の実施例４を示し、図8は放射線防護室を縮小した図、図9は放射線防護室を拡張した図である。
本実施例では、図8に示すように移動キャビネットの１面に放射線防護壁を形成し、一方、放射線防護壁3にて囲まれた放射線防護室5の１面を開放すると共に両側面に、該側面に沿って進退動する放射線防護壁からなるスライド扉16が設けられている。
【００１８】
この構成のフレキシブル歯科診療設備は、放射線撮影装置4を使用する場合は図9に示すように、スライド扉16を前進させ、その開放端部に移動キャビネット1の放射線防護壁面を当接させることにより放射線防護室を拡張し、更に他の複数の移動キャビネットを移動して所望の間隔に保つことにより多目的エリアを形成することができる。
【００１９】
また図8に示すように放射線撮影装置4を使用しない場合はスライド扉16を後退させると共に放射線撮影装置4を放射線防護室5内に収納し、放射線防護室5の開放端部に移動キャビネット1の放射線防護壁2の面を当接させることにより放射線防護室5を縮小することができ拡縮自在な放射線防護室を形成することができ、可能となる。更に他の複数の移動キャビネット1も放射線防護室5側に寄せることにより診療室内に多目的空間を形成することができる。
【実施例５】
【００２０】
図10および図11は本発明の実施例５を示し、図10は放射線防護室を縮小した図、図11は放射線防護室を拡張した図である。
本実施例では、図10に示すように  放射線防護室5を診療室の壁面に沿って設けると共に該放射線防護室5の１面を開放し、一方、複数の移動キャビネット1を放射線防護室の開放面に沿って移動可能に配置すると共に、複数移動キャビネット1のうち隣接する２台の移動キャビネット1a,1bの対向面それぞれに放射線防護壁3a,3bが設けられ、更に片側面に沿ってスライドしつつ進退動する放射線防護壁からなるスライド扉16a,16b,16cが設けられている
【００２１】
この構成のフレキシブル歯科診療設備は、放射線撮影装置4を使用する場合は図11に示すように、放射線防護室5の開放端部に移動キャビネット1a,1bの放射線防護壁3a,3bの端部を当接させると共に、スライド扉16a,16b,16cを対向して前進させることにより放射線防護室5を拡張し、また放射線撮影装置4を使用しない場合は、前記スライド扉16a,16b,16cを後退させると共に移動キャビネット1a,1bを一方に寄せることにより放射線防護室5を縮小する拡縮自在な放射線防護室を形成することができる。なお放射線撮影装置4は回転軸17を中心に回動することにより使用態勢にすることができる。
【００２２】
以上、実施例１から５において放射線防護室5を拡縮自在に構成したフレキシブル歯科診療設備は、放射線防護室5を拡張することにより放射線防護室5内にて診療を可能にし、かつ患者は診療椅子に着座したまま僅か移動して放射線撮影をすることが可能となる。また放射線防護室5を縮小することにより診療室内に多目的空間を形成することができる。
【実施例６】
【００２３】
図12及び図13は本発明の実施例６を示し、図12は移動キャビネットに滅菌装置を搭載し回転扉を閉止して放射線防護室を縮小した図、図13は移動キャビネットに滅菌装置を搭載し回転扉を開放して放射線防護室を拡大した図である。
本実施例は、前記実施例１から５における移動キャビネット1にオゾンガス滅菌、EOGガス滅菌、紫外線滅菌、あるいは殺菌、消毒などの１ないし複数の除菌手段を搭載したものである。図12及び図13に示すように、移動キャビネット1に除菌手段9を搭載することにより歯科診療ユニット8を移動キャビネット1に収納した状態は器具の滅菌・消毒などができ、移動キャビネット1の回転扉を開放して放射線防護室5を拡張した場合には拡張した室内を無菌室にすることができ、インプラントなどの手術が可能になる。
【００２４】
以上、各実施例における歯科診療ユニット8は、台板14に搭載しキャスタ15により移動することが可能に構成されており、また歯科診療ユニット8の移動キャビネット1への収納に際しては図14(a)(b)に示すようにバックレスト10を垂直に起こし、レッグレスト11を垂直に下げ、または折り畳み、ドクターテーブル12やインスツルメントハンガ13などを移動キャビネット1の幅内に収めて収納する。また診療に際しては図14(c)(d)に示すように歯科診療ユニット8を診療位置に移動し、バックレスト10やレッグレスト11を所定の位置にチルトし、ドクターテーブル12やインスツルメントハンガ13などを回動して診療態勢にする。なお歯科診療ユニット8の移動手段は台板14とキャスタ15に限らず摺動または浮上など各種移動手段を設けることができる。なお歯科診療ユニットの収納方向は如何なる方向でもよく、図3に示すようにバックレスト10を前傾させ折り畳んでキャビネット1の奥壁面に対向させた状態で収納してもよい。また上記各実施例において拡縮自在に形成する放射線防護室は、キャビネットの上端に水平方向の放射線防護壁から成るスライド扉を設けて天井をスライド扉にて覆い、更に床面を放射線防護床にすることにより放射線が防護された密閉空間を形成することができる。
【図面の簡単な説明】
【００２５】
【図１】放射線撮影室を縮小した図である。  （実施例１）
【図２】放射線撮影室を拡張した図である。  （実施例１）
【図３】放射線防護室を縮小した図である。  （実施例２）
【図４】放射線防護室を拡張した図である。  （実施例２）
【図５】放射線防護室内での放射線撮影を示す図である。  （実施例２）
【図６】放射線防護室を縮小した図である。  （実施例３）
【図７】放射線防護室を拡張した図である。  （実施例３）
【図８】放射線防護室を縮小した図である。  （実施例４）
【図９】放射線防護室を拡張した図である。  （実施例４）
【図１０】放射線防護室を縮小した図である。  （実施例５）
【図１１】放射線防護室を拡張した図である。  （実施例５）
【図１２】移動キャビネットに滅菌装置を搭載し回転扉を閉止して放射線防護室を縮小した図である。    （実施例６）
【図１３】移動キャビネットに滅菌装置を搭載し回転扉を開放して放射線防護室を拡大した図である。    （実施例６）
【図１４】歯科診療設備の収納を示す図である。
【符号の説明】
【００２６】
1  移動キャビネット
2,3  放射線防護壁
4  放射線撮影装置
5  放射線防護室
6,7  回転扉
8  歯科診療ユニット
9  除菌手段
10  バックレスト
11  レッグレスト
12  ドクターテーブル
13  インスツルメントハンガ
14  台板
15 ャスタ
16  スライド扉
17  回転軸
【図１】
2008161539.tif 000003
【図２】
2008161539.tif 000004
【図３】
2008161539.tif 000005
【図４】
2008161539.tif 000006
【図５】
2008161539.tif 000007
【図６】
2008161539.tif 000008
【図７】
2008161539.tif 000009
【図８】
2008161539.tif 000010
【図９】
2008161539.tif 000011
【図１０】
2008161539.tif 000012
【図１１】
2008161539.tif 000013
【図１２】
2008161539.tif 000014
【図１３】
2008161539.tif 000015
【図１４】
2008161539.tif 000016